(57)【要約】【課題】  本発明の目的は、マイクへの雑音の入力を低減する音声認識装置を提供することである。【解決手段】  一端に穴（１４０）を有する筐体（１００）と、前記筐体の他端に設けられたマイク（１５０）と、前記マイクに入力された音声を認識処理する音声認識手段（１６０，１７０）とを有する音声認識装置。【選択図】  図２
2005192002.tif 000002
【特許請求の範囲】
【請求項１】
一端に穴を有する筐体と、
前記筐体の他端に設けられたマイクと、
前記マイクに入力された音声を認識処理する音声認識手段と
を有する音声認識装置。
【請求項２】
前記筐体は、表示部及び操作部をさらに有し、
前記マイクは前記表示部近傍に配置され、前記穴は操作部近傍に配置されることを特徴とする請求項１記載の音声認識装置。
【請求項３】
前記筐体の一端の穴の数は、前記マイク用の穴の数よりも多いことを特徴とする請求項１記載の音声認識装置。
【請求項４】
主面に穴を有する筐体と、
前記筐体の側面に設けられたマイクと、
前記マイクに入力された音声を認識処理する音声認識手段と
を有する音声認識装置。
【発明の詳細な説明】
【技術分野】
【０００１】
本発明は、マイクを有する音声認識装置に関し、特に、マイクから入力された音声を認識し、この認識結果に応じたコマンドを他の装置へ無線送信する音声認識装置に関する。
【背景技術】
【０００２】
近年、音声認識技術の発達により、手軽なシステムで音声認識を行うことができるようになり、携帯可能な小型機器においても、音声認識を実現可能となっている。
【０００３】
また、音声認識においては、認識率向上を目的として装置に入力する音声はできるだけ雑音が少なくすることが求められている。これらの装置では、机の上などにマイクロフォン（以下、マイクという）を固定して設置されたり、ヘッドフォンとマイクを有するヘッドセットとして頭部に装着して利用している。これらの装置は、口元とマイクの距離、方向などを発声時にマイクに息がかからない理想的な状態に保つことにより、音声入力時のマイクへの雑音を減らしている。
【０００４】
しかし、マイク内蔵の小型な音声認識装置の場合、マイクが口の正面に来るように機器を持って喋ってしまいがちである。また、装置自体が小型である場合には、音声認識開始のトリガとなるPTT(Push To Talk)ボタンを押した際に発声する操作音が、雑音としてマイクに入ってしまうおそれがある。
【０００５】
一方、音声認識装置とは異なるが、従来の携帯型情報処理装置では、多機能化に伴い、カメラやマイクを内蔵している。カメラのレンズ部でのズーム動作等の動作音がマイクで録音されてしまうことを防止するために、装置がどんな形態に変形してもレンズ部とマイクが離れているように配置している（例えば特許文献１参照）。
【特許文献１】特開２００３−２４１８５５号公報（第６頁、図９）
【発明の開示】
【発明が解決しようとする課題】
【０００６】
しかし、従来のマイクの配置を音声認識装置に適用しても、音声入力時のマイクへの雑音を減らせないと考える。これはユーザがマイクのある場所に気がつき、口を近づけるため、マイクに息などの雑音が入ってしまうためである。
【０００７】
本発明の目的は、マイクへの雑音の入力を低減する音声認識装置を提供することである。
【課題を解決するための手段】
【０００８】
第１の発明は、一端に穴を有する筐体と、前記筐体の他端に設けられたマイクと、前記マイクに入力された音声を認識処理する音声認識手段とを有する音声認識装置である。
【０００９】
第２の発明は、前記筐体は、表示部及び操作部をさらに有し、前記マイクは前記表示部近傍に配置され、前記穴は操作部近傍に配置されることを特徴とする第１の発明記載の音声認識装置である。
【００１０】
第３の発明は、前記筐体の一端の穴の数は、前記マイク用の穴の数よりも多いことを特徴とする第１の発明記載の音声認識装置である。
【００１１】
第４の発明は、主面に穴を有する筐体と、前記筐体の側面に設けられたマイクと、前記マイクに入力された音声を認識処理する音声認識手段とを有する音声認識装置である。
【発明の効果】
【００１２】
本発明によれば、マイクへの雑音の入力を低減する音声認識装置を提供することができる。
【発明を実施するための最良の形態】
【００１３】
以下、本発明の実施の形態について図面を参照しながら説明する。
【００１４】
（第１の実施形態）
図１は、本発明の第１の実施形態に係る音声認識装置の外観を示す図である。音声認識装置１００の筐体には、表示部１１０、マイク用の穴１２０、操作部１３０が配置されている。表示部１１０は、バッテリーの残量や、音声認識処理または音楽再生処理が実行中かを示している。マイク用の穴１２０は、表示部１１０の近傍（図では上方）に設けられている。操作部１３０は、音楽再生、早送り、巻き戻し、一時停止、停止、音量調節などのボタンが配置されており、また、音声認識の開始を指示するPTT(Push To Talk)ボタンも配置されている。
【００１５】
そして、この操作部の近傍（図では下方）に、ダミーマイク用の穴１４０（ダミーマイク用の模様）が配置されている。このダミーマイク用の穴１４０は本当のマイク用の穴１２０よりも目立つ必要がある。ここでは、ダミーマイク用の穴１４０の数（図では３個）が本当のマイク用の穴１２０の数（図では１個）よりも多くすることによって、ユーザにとってダミーマイク用の穴１４０が目立ち、ダミーマイク用の穴１４０を本当のマイク用の穴だと意識させるように誘導することができる。したがって、ユーザは音声認識装置１００自体を手に取り、ダミーマイク用の穴１４０を口の正面に持ってきて会話をするようになる。このようにすることによって、本当のマイク用の穴１２０には息がかからず、息などの雑音がマイクに入るのを低減することができる。なお、音声認識装置１００のユーザへの取扱説明書では、穴の数の多い場所（ダミーマイク用の穴１４０）に向けて声を出すように指導する。しかし、取扱説明書を読まないユーザもいる。このようなユーザに対して本実施形態は特に有効である。
【００１６】
また、本当のマイク用の穴１２０と操作部１３０の間には表示部１１０が配置されており、本当のマイク用の穴１２０が操作部１３０から離れている。このため、PTTボタンを操作しても、その操作音が雑音としてマイクに入ることを低減することができる。
【００１７】
図２は、第１の実施形態に係る音声認識装置の概略ブロック図である。本当のマイク用の穴１２０は筐体を貫通しており、その先にはマイク１５０が設けられているのに対し、ダミーマイク用の穴１４０は筐体を貫通しておらず、しかも、その先にはマイクが設置されていない。したがって、本当のマイク用の穴１２０を通った音声はマイク１５０から入力される。入力された音声信号は、ＣＰＵ(Central Processing Unit)１６０及びメモリ１７０によって実行される音声認識ソフトウェアによって音声認識処理される。音声認識処理開始の指示は操作部１３０のPPTボタンの操作によって行われる。音声認識処理中は、その旨が表示部１１０に表示される。
【００１８】
そして、音声認識結果に応じたコマンドは、無線通信部１８０へ送られ、アンテナ１９０経由で他の装置へ送信される。例えば、「再生」という音声を認識すると、再生コマンドに変換し、他の装置であるＰＣ等の音楽再生装置へ送信する。
【００１９】
ここでの無線通信方式としてはBluetooth（Ｒ）を用いるが、無線ＬＡＮ(Local Area Network)など他の無線通信方式を用いてもよい。
【００２０】
（第２の実施形態）
図３は、第２の実施形態に係る音声認識装置の外観を示す図である。本実施形態が第１の実施形態と異なる点は、ダミーマイク用の穴１４０が筐体の主面にあるのに対し、本当のマイク用の穴２２０が筐体の側面に設けられている点である。したがって、第１の実施形態よりも、ダミーマイク用の穴１４０が目立ち、ユーザはダミーマイク用の穴を口の正面に持ってきて会話するので、本当のマイク用の穴２２０には息などの雑音が入るのを低減することができる。
【００２１】
また、操作部１３０も筐体の主面に設けられているので、PTTボタンを操作しても、その操作音が雑音としてマイクに入ることを低減することができる。
【００２２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、ダミーマイクはマイクより目立つように配置されていれば良いから、マイク用の穴の直径よりもダミーマイク用の穴の直径が大きくなるようにしても良い。また、ダミーマイクはユーザにそこにマイクがあると認識させるような模様であれば、何でも良い。つまり、穴ではなく、単にマイクの模様を描いておくだけでも良い。
【図面の簡単な説明】
【００２３】
【図１】第１の実施形態に係る音声認識装置の外観を示す図。
【図２】第１の実施形態に係る音声認識装置の概略ブロック図。
【図３】第２の実施形態に係る音声認識装置の外観を示す図。
【符号の説明】
【００２４】
１００  音声認識装置
１１０  表示部
１２０、２２０  本当のマイク用の穴
１３０  操作部
１４０  ダミーマイク用の穴
１５０  マイク
１６０  ＣＰＵ
１７０  メモリ
１８０  無線通信部
１９０  アンテナ
【図１】
2005192002.tif 000003
【図２】
2005192002.tif 000004
【図３】
2005192002.tif 000005